(57)【要約】【課題】摩擦特性に優れる潤滑油組成物を提供すること。【解決手段】本発明の一側面は、基油と、ナノダイヤモンドと、を含有し、基油は、含酸素油からなる群より選ばれる少なくとも一種であり、ナノダイヤモンドは、炭素と、水素と、窒素及びリンからなる群より選ばれる少なくとも一種とを構成元素として含む化合物で表面修飾されている、潤滑油組成物である。【選択図】なし【特許請求の範囲】
【請求項１】
基油と、ナノダイヤモンドと、を含有し、
前記基油は、含酸素油からなる群より選ばれる少なくとも一種であり、
前記ナノダイヤモンドは、炭素と、水素と、窒素及びリンからなる群より選ばれる少なくとも一種とを構成元素として含む化合物で表面修飾されている、潤滑油組成物。
【請求項２】
前記基油が、エステル及びエーテルからなる群より選ばれる少なくとも一種である、請求項１に記載の潤滑油組成物。
【請求項３】
前記化合物が、アミド基、アミノ基及びアンモニウム基からなる群より選ばれる少なくとも一種を含む、請求項１又は２に記載の潤滑油組成物。
【請求項４】
前記化合物がホスホン酸基を含む、請求項１又は２に記載の潤滑油組成物。
【請求項５】
前記化合物が、構成元素としてハロゲンを更に含む、請求項１〜４のいずれか一項に記載の潤滑油組成物。
【発明の詳細な説明】
【技術分野】
【０００１】
本発明は、潤滑油組成物に関する。
【背景技術】
【０００２】
従来、産業機械といった機械装置には、部材間の潤滑性を向上させるために潤滑油組成物が用いられている。潤滑油組成物は、被潤滑部に適用され、被潤滑部の表面に潤滑膜を形成することにより、被潤滑部の潤滑性を確保している。潤滑性は、耐摩耗特性、摩擦特性等の種々の特性によって決まり、潤滑性を向上させるために、潤滑油組成物には、基油に加えて、耐摩耗特性を向上させるための摩耗防止剤、摩擦特性を向上させるための摩擦調整剤等の種々の添加剤が添加される（例えば特許文献１）。
【先行技術文献】
【特許文献】
【０００３】
【特許文献１】特開２０１４−０８０６３０号公報
【発明の概要】
【発明が解決しようとする課題】
【０００４】
本発明は、摩擦特性に優れる潤滑油組成物を提供することを目的とする。
【課題を解決するための手段】
【０００５】
本発明者らの検討によれば、特定の基油と、特定の化合物で表面修飾されたナノダイヤモンドとを含有する潤滑油組成物が摩擦特性に優れ、その結果、優れた潤滑性能を発揮することを見出した。すなわち、本発明の一側面は、基油と、ナノダイヤモンドと、を含有し、基油は、含酸素油からなる群より選ばれる少なくとも一種であり、ナノダイヤモンドは、炭素と、水素と、窒素及びリンからなる群より選ばれる少なくとも一種とを構成元素として含む化合物で表面修飾されている、潤滑油組成物である。
【０００６】
基油は、エステル及びエーテルからなる群より選ばれる少なくとも一種であってよい。ナノダイヤモンドを表面修飾する化合物は、ホスホン酸基を含んでよく、アミド基、アミノ基及びアンモニウム基からなる群より選ばれる少なくとも一種を含んでよく、構成元素としてハロゲンを更に含んでよい。
【発明の効果】
【０００７】
本発明によれば、摩擦特性に優れる潤滑油組成物を提供することができる。
【図面の簡単な説明】
【０００８】
【図１】摩擦特性の評価結果を示すグラフである。
【図２】被潤滑部の改質効果の評価結果を示すグラフである。
【発明を実施するための形態】
【０００９】
本発明の一実施形態は、基油と、ナノダイヤモンドと、を含有する潤滑油組成物である。
【００１０】
基油は、含酸素油からなる群より選ばれる少なくとも一種である。含酸素油は、構成元素として酸素を含む油である。含酸素油は、例えば、エステル、エーテル、カーボネート、ケトン、シリコーン、ポリシロキサン等であってよく、好ましくは、エステル及びエーテルからなる群より選ばれる少なくとも一種である。
【００１１】
エステルは、例えば、１価アルコールと脂肪酸とのモノエステル、多価アルコールと脂肪酸とのポリオールエステル、及びコンプレックスエステルからなる群より選ばれる少なくとも一種である。
【００１２】
モノエステルを構成する１価アルコールは、例えば１価の脂肪族アルコールであってよい。１価の脂肪族アルコールの炭素数は、例えば、３以上、４以上、又は５以上であってよく、１４以下、１２以下、又は１０以下であってよい。１価の脂肪族アルコールは、例えば、プロパノール、ブタノール、ペンタンノール、ヘキサノール、ヘプタノール、オクタノール、ノナノール、デカノール、ウンデカノール、ドデカノール等であってよい。これらの１価の脂肪族アルコールは、直鎖状であっても分岐状であってもよい。
【００１３】
モノエステルを構成する脂肪酸は、好ましくは飽和脂肪酸である。モノエステルを構成する脂肪酸の炭素数は、例えば、４以上、５以上、又は６以上であってよく、２０以下、１５以下、又は１２以下であってよい。当該脂肪酸は、直鎖脂肪酸を含んでいてよく、分岐脂肪酸を含んでいてよく、好ましくは分岐脂肪酸を含む。当該脂肪酸は、好ましくは、炭素数４〜１２の直鎖脂肪酸及び炭素数４〜１２の分岐脂肪酸からなる群より選ばれる少なくとも１種を含み、より好ましくは、炭素数６〜８の分岐脂肪酸からなる群より選ばれる少なくとも１種を含む。このような脂肪酸は、例えば、ｎ−ヘキサン酸、ｎ−ヘプタン酸、ｎ−オクタン酸、２−メチルペンタン酸、２−エチルブタン酸、２−メチルヘキサン酸、又は２−エチルヘキサン酸であってよい。
【００１４】
ポリオールエステルを構成する多価アルコールは、好ましくは２〜６個の水酸基を有する多価アルコールである。多価アルコールの炭素数は、好ましくは４〜１２、より好ましくは５〜１０である。多価アルコールは、好ましくは、ネオペンチルグリコール、トリメチロールエタン、トリメチロールプロパン、トリメチロールブタン、ジ−（トリメチロールプロパン）、トリ−（トリメチロールプロパン）、ペンタエリスリトール、ジペンタエリスリトールなどのヒンダードアルコールであり、加水分解安定性に特に優れることから、より好ましくは、ペンタエリスリトール、ジペンタエリスリトール、又はペンタエリスリトールとジペンタエリスリトールとの混合アルコールである。
【００１５】
ポリオールエステルを構成する脂肪酸は、好ましくは飽和脂肪酸である。当該脂肪酸の炭素数は、４以上又は５以上であってよく、２０以下、１８以下、又は９以下であってよい。当該脂肪酸のうち、炭素数４〜２０の脂肪酸の割合は、好ましくは２０〜１００モル％、より好ましくは５０〜１００モル％、更に好ましくは７０〜１００モル％、特に好ましくは９０〜１００モル％である。当該脂肪酸のうち、炭素数４〜９の分岐脂肪酸の割合は、好ましくは２０〜１００モル％、より好ましくは５０〜１００モル％、更に好ましくは７０〜１００モル％、特に好ましくは９０〜１００モル％である。
【００１６】
炭素数４〜２０の脂肪酸としては、具体的には、ブタン酸、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸及びイコサン酸が挙げられる。これらの脂肪酸は、直鎖状であっても分岐状であってもよい。脂肪酸は、好ましくはα位及び／又はβ位に分岐を有する脂肪酸であり、より好ましくは、２−メチルプロパン酸、２−メチルブタン酸、２−メチルペンタン酸、２−メチルヘキサン酸、２−エチルペンタン酸、２−メチルヘプタン酸、２−エチルヘキサン酸、３，５，５−トリメチルヘキサン酸及び２−エチルヘキサデカン酸から選ばれ、更に好ましくは、２−メチルプロパン酸及び３，５，５−トリメチルヘキサン酸から選ばれる。
【００１７】
ポリオールエステルは、多価アルコールの水酸基の一部がエステル化されずに水酸基のまま残っている部分エステルであってもよく、全ての水酸基がエステル化された完全エステルであってもよく、また部分エステルと完全エステルとの混合物であってもよい。ポリオールエステルの水酸基価は、好ましくは１０ｍｇＫＯＨ／ｇ以下、より好ましくは５ｍｇＫＯＨ／ｇ以下、更に好ましくは３ｍｇＫＯＨ／ｇ以下である。本明細書における水酸基価は、ＪＩＳ  Ｋ００７０：１９９２に準拠して測定された水酸基価を意味する。
【００１８】
コンプレックスエステルは、例えば以下の（ａ）又は（ｂ）の方法で合成されるエステルであってよく、安定性に優れる観点から、好ましくは、（ａ）の方法により得られるコンプレックスエステルである。
（ａ）多価アルコールと多塩基酸とのモル比を調整して、多塩基酸のカルボキシル基の一部がエステル化されずに残存するエステル中間体を合成し、次いでその残存するカルボキシル基を一価アルコールでエステル化する方法
（ｂ）多価アルコールと多塩基酸とのモル比を調整して、多価アルコールの水酸基の一部がエステル化されずに残存するエステル中間体を合成し、次いでその残存する水酸基を一価脂肪酸でエステル化する方法
【００１９】
コンプレックスエステルは、好ましくは、２〜４個のヒドロキシル基を有する多価アルコールから選ばれる少なくとも１種と、炭素数６〜１２の多塩基酸から選ばれる少なくとも１種と、炭素数４〜１８の一価アルコール及び炭素数２〜１２の一価脂肪酸から選ばれる少なくとも１種とから合成されるエステルである。
【００２０】
２〜４個のヒドロキシル基を有する多価アルコールとしては、ネオペンチルグリコール、トリメチロールプロパン、ペンタエリスリトール等が挙げられる。２〜４個のヒドロキシル基を有する多価アルコールは、コンプレックスエステルを基油として用いたときに好適な粘度を確保し、良好な低温特性を得られる観点から、好ましくは、ネオペンチルグリコール及びトリメチロールプロパンから選ばれ、幅広く粘度調整のできる観点から、より好ましくはネオペンチルグリコールである。
【００２１】
潤滑性に優れる観点から、コンプレックスエステルを構成する多価アルコールは、好ましくは、２〜４個のヒドロキシル基を有する多価アルコールに加えて、ネオペンチルグリコール以外の炭素数２〜１０の二価アルコールを更に含有する。ネオペンチルグリコール以外の炭素数２〜１０の二価アルコールとしては、エチレングリコール、プロパンジオール、ブタンジオール、ペンタンジオール、ヘキサンジオール、２−メチル−１，３−プロパンジオール、３−メチル−１，５−ペンタンジオール、２，２−ジエチル−１，３−ペンタンジオール等が挙げられる。当該二価アルコールは、基油の特性に優れる観点から、好ましくはブタンジオールである。ブタンジオールとしては、１，２−ブタンジオール、１，３−ブタンジオール、１，４−ブタンジオール、２，３−ブタンジオールなどが挙げられる。ブタンジオールは、良好な特性が得られる観点から、好ましくは１，３−ブタンジオール及び１，４−ブタンジオールから選ばれる。ネオペンチルグリコール以外の炭素数２〜１０の二価アルコールの量は、２〜４個のヒドロキシル基を有する多価アルコール１モルに対して、好ましくは１．２モル以下、より好ましくは０．８モル以下、更に好ましくは０．４モル以下である。
【００２２】
炭素数６〜１２の多塩基酸としては、アジピン酸、ピメリン酸、スベリン酸、アゼライン酸、セバシン酸、フタル酸、トリメリット酸などが挙げられる。当該多塩基酸は、合成されたエステルの特性のバランスに優れ、入手が容易である観点から、好ましくはアジピン酸及びセバシン酸から選ばれ、より好ましくはアジピン酸である。炭素数６〜１２の多塩基酸の量は、２〜４個のヒドロキシル基を有する多価アルコール１モルに対して、好ましくは０．４モル〜４モル、より好ましくは０．５モル〜３モル、更に好ましくは０．６モル〜２．５モルである。
【００２３】
炭素数４〜１８の一価アルコールとしては、ブタノール、ペンタノール、ヘキサノール、ヘプタノール、オクタノール、ノナノール、デカノール、ドデカノール、オレイルアルコールなどの脂肪族アルコールが挙げられる。これらの一価アルコールは、直鎖状であっても分岐状であってもよい。炭素数４〜１８の一価アルコールは、特性のバランスの点から、好ましくは炭素数６〜１０の一価アルコールであり、より好ましくは炭素数８〜１０の一価アルコールである。当該一価アルコールは、合成されたコンプレックスエステルの低温特性が良好になる観点から、更に好ましくは２−エチルヘキサノール及び３，５，５−トリメチルヘキサノールから選ばれる。
【００２４】
炭素数２〜１２の一価脂肪酸としては、エタン酸、プロパン酸、ブタン酸、ペンタン酸、ヘキサン酸、ヘプタン酸、オクタン酸、ノナン酸、デカン酸、ドデカン酸などが挙げられる。これらの一価脂肪酸は、直鎖状であっても分岐状であってもよい。炭素数２〜１２の一価脂肪酸は、好ましくは炭素数８〜１０の一価脂肪酸であり、これらの中でも低温特性の観点から、より好ましくは２−エチルヘキサン酸及び３，５，５−トリメチルヘキサン酸である。
【００２５】
エーテルとしては、ポリビニルエーテル、ポリアルキレングリコール、ポリフェニルエーテル、パーフルオロエーテル及びこれらの混合物などが例示される。エーテルは、好ましくはポリビニルエーテル及びポリアルキレングリコールから選ばれ、より好ましくはポリビニルエーテルである。
【００２６】
ポリビニルエーテルは、下記式（１）で表される構造単位を有する。
【化１】
2020180248.tif 000002
式（１）中、Ｒ５０、Ｒ５１及びＲ５２は互いに同一でも異なっていてもよく、それぞれ水素原子又は炭化水素基を表し、Ｒ５３は２価の炭化水素基又は２価のエーテル結合酸素含有炭化水素基を表し、Ｒ５４は炭化水素基を表し、ｍは０以上の整数を表す。ｍが２以上である場合には、複数のＲ５３は互いに同一でも異なっていてもよい。
【００２７】
Ｒ５０、Ｒ５１及びＲ５２で表される炭化水素基の炭素数は、好ましくは１以上、より好ましくは２以上、更に好ましくは３以上であり、また、好ましくは８以下、より好ましくは７以下、更に好ましくは６以下である。Ｒ５０、Ｒ５１及びＲ５２の少なくとも１つが水素原子であることが好ましく、Ｒ５０、Ｒ５１及びＲ５２の全てが水素原子であることがより好ましい。
【００２８】
Ｒ５３で表される２価の炭化水素基及びエーテル結合酸素含有炭化水素基の炭素数は、好ましくは１以上、より好ましくは２以上、更に好ましくは３以上であり、また、好ましくは１０以下、より好ましくは８以下、更に好ましくは６以下である。Ｒ５３で示される２価のエーテル結合酸素含有炭化水素基は、例えばエーテル結合を形成する酸素を側鎖に有する炭化水素基であってもよい。
【００２９】
Ｒ５４は、好ましくは炭素数１〜２０の炭化水素基である。この炭化水素基としては、アルキル基、シクロアルキル基、フェニル基、アリール基、アリールアルキル基などが挙げられる。当該炭化水素基は、好ましくはアルキル基、より好ましくは炭素数１〜５のアルキル基である。
【００３０】
ｍは、好ましくは０以上、より好ましくは１以上、更に好ましくは２以上であり、また、好ましくは２０以下、より好ましくは１８以下、更に好ましくは１６以下である。ポリビニルエーテルを構成する全構造単位におけるｍの平均値は、好ましくは０〜１０である。
【００３１】
ポリビニルエーテルは、式（１）で表される構造単位から選ばれる１種で構成される単独重合体であってもよく、式（１）で表される構造単位から選ばれる２種以上で構成される共重合体であってもよく、式（１）で表される構造単位と他の構造単位とで構成される共重合体であってもよい。ポリビニルエーテルが共重合体であることにより、潤滑性、絶縁性、吸湿性等を一層向上させることができる。この際、原料となるモノマーの種類、開始剤の種類、共重合体における構造単位の比率等を適宜選択することにより、潤滑油組成物諸特性を所望のものとすることが可能となる。共重合体は、ブロック共重合体又はランダム共重合体のいずれであってもよい。
【００３２】
ポリビニルエーテルが共重合体である場合、当該共重合体は、好ましくは上記式（１）で表され且つＲ５４が炭素数１〜３のアルキル基である構造単位（１−１）と、上記式（１）で表され且つＲ５４が炭素数３〜２０のアルキル基である構造単位（１−２）と、を有する。構造単位（１−２）におけるＲ５４の炭素数は、好ましくは３〜１０、更に好ましくは３〜８である。構造単位（１−１）におけるＲ５４は特に好ましくはエチル基であり、構造単位（１−２）におけるＲ５４は、特に好ましくはイソブチル基である。ポリビニルエーテルが上記の構造単位（１−１）及び（１−２）を有する共重合体である場合、構造単位（１−１）と構造単位（１−２）とのモル比は、好ましくは５：９５〜９５：５、より好ましくは２０：８０〜９０：１０、更に好ましくは７０：３０〜９０：１０である。当該モル比が上記範囲内であると、吸湿性を低くすることができる傾向にある。
【００３３】
ポリビニルエーテルは、上記式（１）で表される構造単位のみで構成されるものであってもよいが、下記式（２）で表される構造単位を更に有する共重合体であってもよい。この場合、共重合体はブロック共重合体又はランダム共重合体のいずれであってもよい。
【化２】
2020180248.tif 000003
式（２）中、Ｒ５５〜Ｒ５８は互いに同一でも異なっていてもよく、それぞれ水素原子又は炭素数１〜２０の炭化水素基を表す。
【００３４】
ポリビニルエーテルは、例えば、式（１）で表される構造単位に対応するビニルエーテル系モノマーの重合、又は、式（１）で表される構造単位に対応するビニルエーテル系モノマーと式（２）で表される構造単位に対応するオレフィン性二重結合を有する炭化水素モノマーとの共重合により製造される。式（１）で表される構造単位に対応するビニルエーテル系モノマーとしては、下記式（３）で表されるモノマーが好適である。
【化３】
2020180248.tif 000004
式中、Ｒ５０、Ｒ５１、Ｒ５２、Ｒ５３、Ｒ５４及びｍは、それぞれ式（１）中のＲ５０、Ｒ５１、Ｒ５２、Ｒ５３、Ｒ５４及びｍと同一の定義内容を示す。
【００３５】
ポリビニルエーテルは、好ましくは、以下の末端構造（Ｉ）又は（ＩＩ）を有する。
【００３６】
（Ｉ）一方の末端が、式（４）又は（５）で表され、かつ他方の末端が式（６）又は（７）で表される構造。
【００３７】
【化４】
2020180248.tif 000005
式（４）中、Ｒ５９、Ｒ６０及びＲ６１は互いに同一でも異なっていてもよく、それぞれ水素原子又は炭素数１〜８の炭化水素基を示し、Ｒ６２は炭素数１〜１０の２価の炭化水素基又は２価のエーテル結合酸素含有炭化水素基を示し、Ｒ６３は炭素数１〜２０の炭化水素基を示し、ｍは式（１）中のｍと同一の定義内容を示す。ｍが２以上の場合には、複数のＲ６２は互いに同一でも異なっていてもよい。
【００３８】
【化５】
2020180248.tif 000006
式（５）中、Ｒ６４、Ｒ６５、Ｒ６６及びＲ６７は互いに同一でも異なっていてもよく、それぞれ水素原子又は炭素数１〜２０の炭化水素基を示す。
【００３９】
【化６】
2020180248.tif 000007
式（６）中、Ｒ６８，Ｒ６９及びＲ７０は互いに同一でも異なっていてもよく、それぞれ水素原子又は炭素数１〜８の炭化水素基を示し、Ｒ７１は炭素数１〜１０の２価の炭化水素基又は２価のエーテル結合酸素含有炭化水素基を示し、Ｒ７２は炭素数１〜２０の炭化水素基を示し、ｍは式（１）中のｍと同一の定義内容を示す。ｍが２以上の場合には、複数のＲ７１は互いに同一でも異なっていてもよい。
【００４０】
【化７】
2020180248.tif 000008
式（７）中、Ｒ７３、Ｒ７４、Ｒ７５及びＲ７６は互いに同一でも異なっていてもよく、それぞれ水素原子又は炭素数１〜２０の炭化水素基を示す。
【００４１】
（ＩＩ）一方の末端が上記式（４）又は（５）で表され、かつ他方の末端が下記式（８）で表される構造。
【化８】
2020180248.tif 000009
式（８）中、Ｒ７７、Ｒ７８及びＲ７９は互いに同一でも異なっていてもよく、それぞれ水素原子又は炭素数１〜８の炭化水素基を示す。
【００４２】
このようなポリビニルエーテルの中でも、以下に挙げる（ａ），（ｂ），（ｃ），（ｄ）及び（ｅ）のポリビニルエーテルが基油として特に好適である。
（ａ）一方の末端が式（４）又は（５）で表され、かつ他方の末端が式（６）又は（７）で表される構造を有し、式（１）におけるＲ５０、Ｒ５１及びＲ５２がいずれも水素原子、ｍが０〜４の整数、Ｒ５３が炭素数２〜４の２価の炭化水素基、Ｒ５４が炭素数１〜２０の炭化水素基であるポリビニルエーテル。
（ｂ）式（１）で表される構造単位のみを有するものであって、一方の末端が式（４）で表され、かつ他方の末端が式（６）で表される構造を有し、式（１）におけるＲ５０、Ｒ５１及びＲ５２がいずれも水素原子、ｍが０〜４の整数、Ｒ５３が炭素数２〜４の２価の炭化水素基、Ｒ５４が炭素数１〜２０の炭化水素基であるポリビニルエーテル。
（ｃ）一方の末端が式（４）又は（５）で表され、かつ他方の末端が式（８）で表される構造を有し、式（１）におけるＲ５０、Ｒ５１及びＲ５２がいずれも水素原子、ｍが０〜４の整数、Ｒ５３が炭素数２〜４の２価の炭化水素基、Ｒ５４が炭素数１〜２０の炭化水素基であるポリビニルエーテル。
（ｄ）式（１）で表される構造単位のみを有するものであって、一方の末端が式（５）で表され、かつ他方の末端が式（８）で表される構造を有し、式（１）におけるＲ５０、Ｒ５１及びＲ５２がいずれも水素原子、ｍが０〜４の整数、Ｒ５３が炭素数２〜４の二価の炭化水素基、Ｒ５４が炭素数１〜２０の炭化水素基であるポリビニルエーテル。
（ｅ）上記（ａ），（ｂ），（ｃ）及び（ｄ）のいずれかであって、式（１）におけるＲ５４が炭素数１〜３の炭化水素基である構造単位と該Ｒ５４が炭素数３〜２０の炭化水素基である構造単位とを有するポリビニルエーテル。
【００４３】
ポリビニルエーテルの重量平均分子量は、好ましくは５００以上、より好ましくは６００以上であり、また、好ましくは３０００以下、より好ましくは２０００以下、更に好ましくは１５００以下である。
【００４４】
ポリビニルエーテルの数平均分子量は、好ましくは５００以上、より好ましくは６００以上であり、また、好ましくは３０００以下、より好ましくは２０００以下、更に好ましくは１５００以下である。
【００４５】
ポリビニルエーテルの重量平均分子量及び数平均分子量は、それぞれＧＰＣ分析により得られる重量平均分子量及び数平均分子量（ポリスチレン（標準試料）換算値）を意味する。重量平均分子量及び数平均分子量は、例えば以下のように測定することができる。
【００４６】
溶剤としてクロロホルムを使用し、希釈してポリビニルエーテル濃度を１質量％とした溶液を調製する。その溶液を、ＧＰＣ装置（Ｗａｔｅｒｓ  Ａｌｌｉａｎｃｅ２６９５）を用いて分析を行う。溶剤の流速は１ｍｌ／ｍｉｎ、分析可能分子量１００から１００００のカラムを使用し、屈折率検出器を用いて分析を実施する。なお、分子量が明確なポリスチレン標準を用いてカラム保持時間と分子量との関係を求め、検量線を別途作成した上で、得られた保持時間から試料の分子量を決定する。
【００４７】
ポリビニルエーテルの不飽和度は、好ましくは０．０４ｍｅｑ／ｇ以下、より好ましくは０．０３ｍｅｑ／ｇ以下、更に好ましくは０．０２ｍｅｑ／ｇ以下である。ポリビニルエーテルの過酸化物価は、好ましくは１０．０ｍｅｑ／ｋｇ以下、より好ましくは５．０ｍｅｑ／ｋｇ以下、更に好ましくは１．０ｍｅｑ／ｋｇ以下である。ポリビニルエーテルのカルボニル価は、好ましくは１００重量ｐｐｍ以下、より好ましくは５０重量ｐｐｍ以下、更に好ましくは２０重量ｐｐｍ以下である。ポリビニルエーテルの水酸基価は、好ましくは１０ｍｇＫＯＨ／ｇ以下、より好ましくは５ｍｇＫＯＨ／ｇ以下、更に好ましくは３ｍｇＫＯＨ／ｇ以下である。
【００４８】
本明細書における不飽和度、過酸化物価及びカルボニル価は、それぞれ日本油化学会制定の基準油脂分析試験法により測定した値をいう。すなわち、本明細書における不飽和度は、試料にウィス液（ＩＣｌ−酢酸溶液）を反応させ、暗所に放置し、その後、過剰のＩＣｌをヨウ素に還元し、ヨウ素分をチオ硫酸ナトリウムで滴定してヨウ素価を算出し、このヨウ素価をビニル当量に換算した値（ｍｅｑ／ｇ）をいう。本明細書における過酸化物価は、試料にヨウ化カリウムを加え、生じた遊離のヨウ素をチオ硫酸ナトリウムで滴定し、この遊離のヨウ素を試料１ｋｇに対するミリ当量数に換算した値（ｍｅｑ／ｋｇ）をいう。本明細書におけるカルボニル価は、試料に２，４−ジニトロフェニルヒドラジンを作用させ、発色性あるキノイドイオンを生ぜしめ、この試料の４８０ｎｍにおける吸光度を測定し、予めシンナムアルデヒドを標準物質として求めた検量線を基に、カルボニル量に換算した値（重量ｐｐｍ）をいう。
【００４９】
ポリアルキレングリコールとしては、ポリエチレングリコール、ポリプロピレングリコール、ポリブチレングリコールなどが例示される。ポリアルキレングリコールは、オキシエチレン、オキシプロピレン、オキシブチレン等を構造単位として有する。これらの構造単位を有するポリアルキレングリコールは、それぞれモノマーであるエチレンオキサイド、プロピレンオキサイド、ブチレンオキサイドを原料として、開環重合により得ることができる。
【００５０】
ポリアルキレングリコールとしては、例えば下記式（９）で表される化合物が挙げられる。
Ｒα−［（ＯＲβ）ｆ−ＯＲγ］ｇ        （９）
式（９）中、Ｒαは水素原子、炭素数１〜１０のアルキル基、炭素数２〜１０のアシル基又は２〜８個の水酸基を有する化合物の残基を表し、Ｒβは炭素数２〜４のアルキレン基を表し、Ｒγは水素原子、炭素数１〜１０のアルキル基又は炭素数２〜１０のアシル基を表し、ｆは１〜８０の整数を表し、ｇは１〜８の整数を表す。
【００５１】
Ｒα、Ｒγで表されるアルキル基は、直鎖状、分枝状及び環状のいずれであってもよい。当該アルキル基の炭素数は、好ましくは１〜１０であり、より好ましくは１〜６である。
【００５２】
Ｒα、Ｒγで表されるアシル基のアルキル基部分は直鎖状、分枝状及び環状のいずれであってもよい。アシル基の炭素数は、好ましくは２〜１０であり、より好ましくは２〜６である。
【００５３】
Ｒα、Ｒγで表される基が、ともにアルキル基である場合、あるいはともにアシル基である場合、Ｒα、Ｒγで表される基は同一でも異なっていてもよい。ｇが２以上の場合、同一分子中の複数のＲα、Ｒγで表される基は同一でも異なっていてもよい。
【００５４】
Ｒαで表される基が２〜８個の水酸基を有する化合物の残基である場合、この化合物は鎖状であっても環状であってもよい。
【００５５】
Ｒα、Ｒγのうちの少なくとも１つは、相溶性に優れる観点から、好ましくはアルキル基、より好ましくは炭素数１〜４のアルキル基、更に好ましくはメチル基である。熱・化学安定性に優れる観点からは、ＲαとＲγとの両方が、好ましくはアルキル基、より好ましくは炭素数１〜４のアルキル基、更に好ましくはメチル基である。製造容易性及びコストの観点からは、好ましくはＲα及びＲγのいずれか一方がアルキル基（より好ましくは炭素数１〜４のアルキル基）であり、かつ他方が水素原子であり、より好ましくは一方がメチル基であり、かつ他方が水素原子である。潤滑性及びスラッジ溶解性に優れる観点からは、好ましくはＲα及びＲγの両方が水素原子である。
【００５６】
Ｒβは炭素数２〜４のアルキレン基を表し、このようなアルキレン基としては、具体的には、エチレン基、プロピレン基、ブチレン基等が挙げられる。また、ＯＲβで表される繰り返し単位のオキシアルキレン基としては、オキシエチレン基、オキシプロピレン基、オキシブチレン基が挙げられる。（ＯＲβ）ｆで表されるオキシアルキレン基は、１種のオキシアルキレン基で構成されていてもよく、２種以上のオキシアルキレン基で構成されていてもよい。
【００５７】
式（９）で表されるポリアルキレングリコールは、粘度−温度特性に優れる観点から、好ましくは、オキシエチレン基（ＥＯ）とオキシプロピレン基（ＰＯ）とを含む共重合体である。この場合、焼付荷重、粘度−温度特性に優れる観点から、オキシエチレン基とオキシプロピレン基との総和に占めるオキシエチレン基の割合（ＥＯ／（ＰＯ＋ＥＯ））は、好ましくは０．１〜０．８、より好ましくは０．３〜０．６である。吸湿性や熱・酸化安定性に優れる観点からは、ＥＯ／（ＰＯ＋ＥＯ）は、好ましくは０〜０．５、より好ましくは０〜０．２、更に好ましくは０（すなわちプロピレンオキサイド単独重合体）である。
【００５８】
ｆは、オキシアルキレン基ＯＲβの繰り返し数（重合度）を表し、１〜８０の整数である。ｇは１〜８の整数である。例えばＲαがアルキル基またはアシル基である場合、ｇは１である。Ｒαが２〜８個の水酸基を有する化合物の残基である場合、ｇは当該化合物が有する水酸基の数となる。
【００５９】
式（９）で表されるポリアルキレングリコールにおいて、ｆとｇとの積（ｆ×ｇ）の平均値は、潤滑油組成物としての要求性能をバランスよく満たす観点から、好ましくは６〜８０である。
【００６０】
ポリアルキレングリコールの重量平均分子量は、好ましくは５００以上、より好ましくは６００以上であり、また、好ましくは３０００以下、より好ましくは２０００以下、更に好ましくは１５００以下である。
【００６１】
ポリアルキレングリコールの数平均分子量は、好ましくは５００以上、より好ましくは６００以上であり、また、好ましくは３０００以下、より好ましくは２０００以下、更に好ましくは１５００以下である。
【００６２】
ポリアルキレングリコールの重量平均分子量及び数平均分子量は、それぞれＧＰＣ分析により得られる重量平均分子量及び数平均分子量（ポリプロピレングリコール（標準試料）換算値）を意味する。重量平均分子量及び数平均分子量は、例えば以下のように測定することができる。
【００６３】
溶剤としてクロロホルムを使用し、希釈してポリアルキレングリコール濃度を１質量％とした溶液を調製する。その溶液を、ＧＰＣ装置（Ｗａｔｅｒｓ  Ａｌｌｉａｎｃｅ２６９５）を用いて分析を行う。溶剤の流速は１ｍｌ／ｍｉｎ、分析可能分子量１００から１００００のカラムを使用し、屈折率検出器を用いて分析を実施する。なお、分子量が明確なポリアルキレングリコール標準を用いてカラム保持時間と分子量との関係を求め、検量線を別途作成した上で、得られた保持時間から試料の分子量を決定する。
【００６４】
ポリアルキレングリコールの水酸基価は、好ましくは１００ｍｇＫＯＨ／ｇ以下、より好ましくは５０ｍｇＫＯＨ／ｇ以下、更に好ましくは３０ｍｇＫＯＨ／ｇ以下、最も好ましくは１０ｍｇＫＯＨ／ｇ以下である。
【００６５】
ポリアルキレングリコールは、公知の方法を用いて合成することができる（「アルキレンオキシド重合体」、柴田満太他、海文堂、平成２年１１月２０日発行）。例えば、アルコール（ＲαＯＨ；Ｒαは式（９）中のＲαと同一の定義内容を表す）に所定のアルキレンオキサイドの１種以上を付加重合させ、さらに末端水酸基をエーテル化もしくはエステル化することによって、式（９）で表されるポリアルキレングリコールが得られる。上記の製造工程において２種以上のアルキレンオキサイドを使用する場合、得られるポリアルキレングリコールは、ランダム共重合体及びブロック共重合体のいずれであってもよいが、酸化安定性及び潤滑性により優れる傾向にある点からは、好ましくはブロック共重合体であり、より低温流動性に優れる傾向にある点からは、好ましくはランダム共重合体である。
【００６６】
ポリアルキレングリコールの不飽和度は、好ましくは０．０４ｍｅｑ／ｇ以下、より好ましくは０．０３ｍｅｑ／ｇ以下、更に好ましくは０．０２ｍｅｑ／ｇ以下である。過酸化物価は、好ましくは１０．０ｍｅｑ／ｋｇ以下、より好ましくは５．０ｍｅｑ／ｋｇ以下、更に好ましくは１．０ｍｅｑ／ｋｇ以下である。カルボニル価は、好ましくは１００重量ｐｐｍ以下、より好ましくは５０重量ｐｐｍ以下、更に好ましくは２０重量ｐｐｍ以下である。
【００６７】
基油（含酸素油）の４０℃における動粘度は、２ｍｍ２／ｓ以上、３ｍｍ２／ｓ以上、４ｍｍ２／ｓ以上、又は５ｍｍ２／ｓ以上であってよく、１０００ｍｍ２／ｓ以下、５００ｍｍ２／ｓ以下、２００ｍｍ２／ｓ以下、又は１００ｍｍ２／ｓ以下であってよい。基油（含酸素油）の１００℃における動粘度は、０．５ｍｍ２／ｓ以上、１ｍｍ２／ｓ以上、又は２ｍｍ２／ｓ以上であってよく、１００ｍｍ２／ｓ以下、５０ｍｍ２／ｓ以下、又は２０ｍｍ２／ｓ以下であってよい。本明細書における動粘度は、ＪＩＳ  Ｋ２２８３：２０００に準拠して測定された動粘度を意味する。
【００６８】
基油（含酸素油）の含有量は、潤滑油組成物全量基準で、５０質量％以上、６０質量％以上、７０質量％以上、８０質量％以上、９０質量％以上、又は９５質量％以上であってよく、９９．５質量％以下、９９質量％以下、又は９８．５質量％以下であってよい。
【００６９】
ナノダイヤモンドは、炭素と、水素と、窒素及びリンからなる群より選ばれる少なくとも一種とを構成元素として含む化合物（以下「修飾化合物」ともいう）で表面修飾されている。
【００７０】
修飾化合物は、構成元素として酸素を更に含んでもよい。修飾化合物は、構成元素としてハロゲンを更に含んでよい。ハロゲンは、フッ素、塩素及び臭素からなる群より選ばれる少なくとも一種であってよく、フッ素及び臭素からなる群より選ばれる少なくとも一種であってよい。修飾化合物は、構成元素として酸素及びハロゲンを更に含んでもよい。
【００７１】
修飾化合物は、一実施形態において、炭素、水素及び窒素を構成元素として含む化合物である。この場合、修飾化合物は、例えば、アミド基、アミノ基及びアンモニウム基からなる群より選ばれる少なくとも一種の基を含んでいる。
【００７２】
アミド基を有する修飾化合物は、例えば下記式（Ｎ−１）で表される化合物であってよい。
Ｒ１−Ｃ（＝Ｏ）−ＮＨ２      （Ｎ−１）
式中、Ｒ１はアルキル基又はアルケニル基を表し、当該アルキル基及びアルケニル基における水素原子の一つ又は二つ以上はハロゲン原子で置換されていてもよい。ハロゲン原子は、例えばフッ素原子であってよい。
【００７３】
Ｒ１で表されるアルキル基又はアルケニル基の炭素数は、例えば、７以上、９以上、又は１１以上であってよく、２１以下、１９以下、又は１７以下であってよい。
【００７４】
式（Ｎ−１）で表される化合物は、例えば、ラウリン酸アミド、オレイン酸アミド、ステアリン酸アミド等であってよい。
【００７５】
アミノ基を有する修飾化合物は、例えば下記式（Ｎ−２）で表される化合物であってよい。
Ｒ２−ＮＨ２      （Ｎ−２）
式中、Ｒ２はアルキル基又はアルケニル基を表し、当該アルキル基及びアルケニル基における水素原子の一つ又は二つ以上はハロゲン原子で置換されていてもよい。ハロゲン原子は、例えばフッ素原子であってよい。
【００７６】
Ｒ２で表されるアルキル基又はアルケニル基の炭素数は、例えば、８以上、１０以上、又は１２以上であってよく、２２以下、２０以下、又は１８以下であってよい。
【００７７】
式（Ｎ−２）で表される化合物は、例えば、ラウリルアミン、オレイルアミン、ステアリルアミン等であってよい。
【００７８】
アンモニウム基を有する修飾化合物は、例えば下記式（Ｎ−３）で表される化合物であってよい。
【化９】
2020180248.tif 000010
式中、Ｘ−は対アニオンを表し、Ｒ３〜Ｒ６は、それぞれ独立に、アルキル基又はアルケニル基を表し、当該アルキル基及びアルケニル基における水素原子の一つ又は二つ以上はハロゲン原子で置換されていてもよい。ハロゲン原子は、例えばフッ素原子であってよい。
【００７９】
Ｘ−で表される対アニオンは、例えば、ハロゲン原子のアニオンであってよく、臭素アニオンであってもよい。
【００８０】
Ｒ３〜Ｒ６で表されるアルキル基又はアルケニル基の炭素数は、例えば、８以上、１０以上、又は１２以上であってよく、２２以下、２０以下、１８以下、１５以下、１０以下、５以下、４以下、３以下、又は２以下であってよい。
【００８１】
Ｒ３〜Ｒ６の一部が長鎖アルキル基又は長鎖アルケニル基であり、Ｒ３〜Ｒ６の残りが短鎖アルキル基又は短鎖アルケニル基であってもよい。Ｒ３及びＲ４が長鎖アルキル基又は長鎖アルケニル基であり、Ｒ５及びＲ６が短鎖アルキル基又は短鎖アルケニル基であってもよい。長鎖アルキル基又は長鎖アルケニル基の炭素数は、例えば、８以上、１０以上、又は１２以上であってよく、２２以下、２０以下、又は１８以下であってよい。短鎖アルキル基又は短鎖アルケニル基の炭素数は、例えば、５以下、４以下、３以下、又は２以下であってよい。
【００８２】
式（Ｎ−３）で表される化合物は、例えば、ジメチルジステアリルアンモニウムブロマイド等であってよい。
【００８３】
修飾化合物は、他の一実施形態において、炭素、水素及びリンを構成元素として含む化合物である。この場合、修飾化合物は、例えば、ホスホン酸基を含んでいる。
【００８４】
ホスホン酸基を有する修飾化合物は、例えば下記式（Ｐ−１）で表される化合物であってよい。
【化１０】
2020180248.tif 000011
式中、Ｒ７はアルキル基又はアルケニル基を表し、当該アルキル基及びアルケニル基における水素原子の一つ又は二つ以上はハロゲン原子で置換されていてもよい。ハロゲン原子は、例えばフッ素原子であってよい。
【００８５】
Ｒ７で表されるアルキル基又はアルケニル基の炭素数は、例えば、８以上、１０以上、又は１２以上であってよく、２２以下、２０以下、又は１８以下であってよい。
【００８６】
式（Ｐ−１）で表される化合物は、例えば、オクタデシルホスホン酸、１Ｈ，１Ｈ，２Ｈ，２Ｈ−パーフルオロデシルホスホン酸等であってよい。
【００８７】
ナノダイヤモンドの一次粒子径は、例えば、０．５ｎｍ以上、１ｎｍ以上、又は２ｎｍ以上であってよく、１００ｎｍ以下、８０ｎｍ以下、又は５０ｎｍ以下であってよい。潤滑油組成物中のナノダイヤモンドの平均粒径は、例えば、５０ｎｍ以上、１００ｎｍ以上、又は２００ｎｍ以上であってよく、６００ｎｍ以下、５００ｎｍ以下、又は４００ｎｍ以下であってよい。潤滑油組成物中のナノダイヤモンドの平均粒径は、動的光散乱法により潤滑油組成物中のナノダイヤモンドの粒度分布を測定した後、当該粒度分布から累積頻度が５０％となる粒径（Ｄ５０）として算出される。
【００８８】
ナノダイヤモンドの含有量（ナノダイヤモンド自体と表面修飾する化合物との合計の含有量）は、潤滑油組成物全量基準で、０．００００５質量％以上、０．０００１質量％以上、又は０．０００５質量％以上であってよく、１質量％以下、０．５質量％以下、又は０．１質量％以下であってよい。
【００８９】
潤滑油組成物は、基油及びナノダイヤモンドに加えて、添加剤を更に含有してもよい。添加剤は、潤滑油組成物に用いられる公知の添加剤であってよく、例えば、摩擦調整剤、摩耗防止剤、酸捕捉剤、酸化防止剤、極圧剤、油性剤、消泡剤、金属不活性化剤、粘度指数向上剤、流動点降下剤などであってよい。これらの添加剤の合計含有量は、潤滑油組成物全量基準で、１５質量％以下又は１０質量％以下であってよい。
【００９０】
潤滑油組成物は、例えば、基油、ナノダイヤモンド（表面修飾されていないナノダイヤモンド）及び修飾化合物（更に必要に応じて用いられる上記添加剤）を撹拌して混合することにより得られる。また、これにより、ナノダイヤモンドの表面は、修飾化合物によって修飾される。
【００９１】
潤滑油組成物は、種々の用途に適用可能である。潤滑油組成物は、例えば、ガソリンエンジン油やディーゼルエンジン油などのエンジン油；自動車用ギヤ油（自動変速機油、手動変速機油、デファレンシャル油）や工業用ギヤ油などのギヤ油；冷凍機油；タービン油；油圧作動油；空気圧縮機油；切削油、研削油、塑性加工油（圧延油、プレス油、鍛造油、絞り加工油、引き抜き油、打ち抜き油など）、熱処理油、放電加工油などの金属加工油；工作機械油；滑り案内面油；軸受油；錆止め油；熱媒体油；電気絶縁油；グリース基油などとして用いられる。
【００９２】
以上説明した潤滑油組成物は、機械装置の被潤滑部（潤滑する対象となる部分）に用いられた場合、ナノダイヤモンドによって当該被潤滑部を改質し得る。より具体的には、上記潤滑油組成物が用いられた被潤滑部の表面には、ナノダイヤモンドに由来する被膜が形成され得る。すなわち、本発明の他の一実施形態は、上記潤滑油組成物を用いることにより被潤滑部を改質する方法ということができる。本発明の他の一実施形態は、上記潤滑油組成物を用いることにより被潤滑部の表面に上記ナノダイヤモンド由来の被膜を形成する方法ということもできる。
【００９３】
また、上記のようにナノダイヤモンドによる被潤滑部の改質（ダイヤモンドに由来する被膜の形成）が可能であることから、上記潤滑油組成物は、慣らし運転用潤滑油組成物として好適であるともいえる。慣らし運転により潤滑摺動部に良好な潤滑被膜が一旦形成されると、より過酷な摺動条件に晒されても安定な摺動特性を維持することが可能となる。このような慣らし運転用潤滑油組成物は、特に摺動面が異常摩耗するような過酷な潤滑環境下において好適に使用できる。さらには、機械装置に潤滑油組成物を用いる場合、まず、慣らし運転用潤滑油組成物によって慣らし運転を実施した後で、実際の運転に用いる潤滑油組成物（本運転用潤滑油組成物）に入れ替えて機械装置を運転する場合もある。このような場合に、慣らし運転用潤滑油組成物が被潤滑部の改質（被膜の形成）が可能であると、慣らし運転後の被潤滑部は、例えば摩擦や摩耗が生じにくい状態となっている。したがって、被潤滑部を改質できない（被膜を形成できない）慣らし運転用潤滑油組成物を用いる場合に比べると、本運転用潤滑油組成物に摩擦特性や摩耗特性の点で厳しい要求がなされなくなるため、本運転用潤滑油組成物として例えばより安価な潤滑油組成物を使用することが可能となる。
【００９４】
つまり、本発明の他の一実施形態は、機械装置の被潤滑部を潤滑する方法であって、上記潤滑油組成物を被潤滑部に適用して機械装置の運転（慣らし運転）を行う工程と、被潤滑部に適用された上記潤滑油組成物を別の潤滑油組成物に入れ替えて機械装置の運転（本運転）を行う工程とを備える方法ということもできる。
【実施例】
【００９５】
以下、実施例に基づいて本発明を更に具体的に説明するが、本発明は実施例に限定されるものではない。
【００９６】
（潤滑油組成物の調製）
［実施例１］
ナノダイヤモンド（株式会社ニューメタルスエンドケミカルスコーポレーション社製、ナノアマンド、一次粒子径：４〜５ｎｍ）０．０１ｇと、修飾化合物（下記式（Ａ）で表される化合物）０．０１ｇとをガラス製ビーカーに測り取り、次いで、基油（２−エチルヘキサン酸と２−エチルヘキシルアルコールとのモノエステル、４０℃における動粘度：２．７ｍｍ２／ｓ、１００℃における動粘度：１．１ｍｍ２／ｓ）１００ｇを加えた。６０℃に加温した上で、スターラーで３時間撹拌し、式（Ａ）で表される化合物で表面修飾されたナノダイヤモンドを０．０１質量％（潤滑油組成物全量基準）含有する潤滑油組成物を得た。得られた潤滑油組成物中のナノダイヤモンドの粒度分布を動的光散乱法（大塚電子社製、ＥＬＳＺ−０  ＰＬＵＳ−ＪＸ）により測定し、ナノダイヤモンドの平均粒径（Ｄ５０）を算出したところ、２００ｎｍであった。
【化１１】
2020180248.tif 000012
【００９７】
［実施例２］
式（Ａ）で表される化合物に代えて、下記式（Ｂ）で表される化合物でナノダイヤモンドを表面修飾した以外は、実施例１と同様にして、潤滑油組成物の調製を行った。実施例１と同様にして、得られた潤滑油組成物中のナノダイヤモンドの平均粒径（Ｄ５０）を算出したところ、４００ｎｍであった。
【化１２】
2020180248.tif 000013
【００９８】
［実施例３］
式（Ａ）で表される化合物に代えて、下記式（Ｃ）で表される化合物でナノダイヤモンドを表面修飾した以外は、実施例１と同様にして、潤滑油組成物の調製を行った。実施例１と同様にして、得られた潤滑油組成物中のナノダイヤモンドの平均粒径（Ｄ５０）を算出したところ、３５０ｎｍであった。
【化１３】
2020180248.tif 000014
【００９９】
［比較例１］
表面修飾されたダイヤモンドを用いずに、上記基油のみからなる潤滑油組成物を調製した。
【０１００】
＜摩擦特性の評価＞
実施例及び比較例の各潤滑油組成物について、ＭＴＭ（Ｍｉｎｉ  Ｔｒａｃｔｉｏｎ  Ｍａｃｈｉｎｅ）試験機（ＰＣＳ  Ｉｎｓｔｒｕｍｅｎｔｓ社製）を用いて、以下の条件で摩擦係数（μ）を測定した。なお、滑り率は、連続的に０〜１００％まで変化させた。摩擦係数の測定は、滑り率０〜１０％では１％毎、滑り率１０〜１００％では１０％毎に記録した。結果を図１に示す。摩擦係数が小さいほど、摩擦特性に優れていることを意味する。
ボール及びディスク：標準試験片（ＡＩＳＩ５２１００規格）
転がり速度：１００ｍｍ／ｓ
荷重：２０Ｎ
滑り率：０〜１００％
油温：１００℃
【０１０１】
＜被潤滑部の改質（被膜の形成）の評価＞
［評価例１］
実施例３の潤滑油組成物について、ＭＴＭ（Ｍｉｎｉ  Ｔｒａｃｔｉｏｎ  Ｍａｃｈｉｎｅ）試験機（ＰＣＳ  Ｉｎｓｔｒｕｍｅｎｔｓ社製）を用いて、以下に示す測定条件で摩擦係数（μ）を測定した。
（測定条件）
ボール及びディスク：標準試験片（ＡＩＳＩ５２１００規格）
転がり速度：２．５〜０．０１ｍ／ｓ
荷重：２０Ｎ
滑り率：１００％
油温：１００℃
なお、転がり速度は、連続的に２．５〜０．０１ｍ／ｓで変化させた。摩擦係数の測定は、転がり速度２．５〜１ｍ／ｓでは０．５ｍ／ｓ毎、転がり速度１〜０．１ｍ／ｓでは０．１ｍ／ｓ毎、転がり速度０．１〜０．０１ｍ／ｓでは０．０１ｍ／ｓ毎に記録した。
【０１０２】
［評価例２］
実施例３の潤滑油組成物を用いて、以下に示す慣らし条件で試験機の慣らし運転を行った。その後、比較例１の潤滑油組成物を用いて、評価例１と同様にして摩擦係数（μ）を測定した。
（慣らし条件）
ボール及びディスク：標準試験片（ＡＩＳＩ５２１００規格）
転がり速度：１００ｍｍ／ｓ
荷重：２０Ｎ
滑り率：１００％
油温：１００℃
時間：１８００秒間
【０１０３】
評価例１，２の結果を図２に示す。図２に示されるように、実施例３の潤滑油組成物を用いて慣らし運転を行った評価例２では、比較例１の潤滑油組成物を用いて摩擦係数を測定したにも関わらず、実施例３の潤滑油組成物を用いて摩擦係数を測定した評価例１と同等の摩擦係数が得られている。これは、実施例３の潤滑油組成物を用いた慣らし運転において、表面修飾されたナノダイヤモンドによる被潤滑部の改質（被膜の形成）が生じたためであると考えられる。
【図１】
2020180248.tif 000015
【図２】
2020180248.tif 000016